(57)【要約】【課題】錠前ユニットに向けられた暴力破壊を困難または不可能にして防犯性を向上させ、鍵の挿入角度や摘み部の形状・大きさの多様性を吸収して、鍵の挿入操作が円滑かつ的確に行えるポップアウト型扉用ロックハンドル装置を提供する。【解決手段】固定ケースに隣接させてポケット部を設け、ポケット部の前面開口部を扉の前面に開口させ、錠前ユニットのロータの鍵孔をポケット部の内部空間に向かって開口させる。鍵案内用パッドをポケット部の底面壁部に着脱可能に取り付け、鍵案内用窪み部の底面中央部に案内溝をロータの軸線方向と平行に形成する。鍵案内溝の先端部において案内溝の片側壁面に側面方向に開放された逃げ用凹部を形成して、開施錠時における鍵の摘み部の回転変位を可能にする。鍵孔の中心線から案内溝底面に至る距離を、鍵本体の中心線から摘み部の被案内部に至る距離と一致させる。【選択図】      図３
2004225247.tif 000002
【特許請求の範囲】
【請求項１】
扉に固着される固定ケースの軸受部に内筒を回転可能かつ前後方向に移動不能に装着し、前記内筒の後面に止め金板を固着し、前記内筒内に前記内筒に対して回転不能かつ前後方向に移動可能にハンドルの施錠軸部を嵌挿し、前記施錠軸部を突出用バネによって突出方向に移動付勢し、錠前ユニットの収容孔を前記軸受部の側壁部に形成し、前記固定ケースに隣接させてポケット部を設け、前記ポケット部の前面開口部を扉の前面に開口させ、前記錠前ユニットのロータに鍵孔をその軸線方向に形成し、前記鍵孔を前記ポケット部の内部空間に向かって開口させ、断面円弧状の鍵案内用窪み部を錠前ユニットに向かって一直線に形成した鍵案内用パッドを前記ポケット部の底面壁部に着脱可能に取り付け、前記窪み部の底面中央部に案内溝をロータの軸線方向と平行に形成し、該鍵案内溝の先端部において案内溝の片側壁面に側面方向に開放された逃げ用凹部を形成して、開施錠時における鍵の摘み部の回転変位を可能にし、前記施錠軸部を前記軸受部に対して錠止する錠止機構を前記ロータに連動装備し、鍵の摘み部に前記鍵案内用パッドの前記案内溝の底面に接触する被案内部を形成し、前記鍵孔の中心線から前記案内溝底面に至る距離を、前記鍵本体の中心線から前記被案内部に至る距離と一致させたポップアウト型扉用ロックハンドル装置。
【発明の詳細な説明】
【０００１】
【発明の属する技術分野】本発明は、自動販売機等に使用されるポップアウト型扉用ロックハンドル装置に関するものである。
【０００２】
【従来の技術】自動販売機等に広く使用されているポップアウト型扉用ロックハンドル装置は、扉に固着される固定ケースの軸受部に内筒を回転可能かつ前後方向に移動不能に装着し、前記内筒の後面に止め金板を固着し、前記内筒内に回転不能かつ前後方向に移動可能に嵌挿したハンドルの施錠軸部をバネによって突出方向に移動付勢し、前記施錠軸部の前面部分に錠前ユニットを嵌めこみ固着し、前記施錠軸部を前記軸受部に対して錠止する錠止機構を前記錠前ユニットのロータに連動装備してある（例えば、特許文献１参照）。
【０００３】
自動販売機類に対する近時の盗犯は暴力化の傾向にあり、錠前ユニットと施錠軸部の境界部分を正面側から直径上の２箇所において電動ドリルで前後方向に穿孔し、盗犯者が自作したＴ字状回転操作具の先端部の二股突起部を該穿孔部に挿入し、該回転操作具を介して錠前ユニットに強大な回転モーメントを負荷することによって、錠前ユニットと施錠軸部間の固着部材を破断することが行われている。
【０００４】
このように固着部材を破断された錠前ユニットは施錠軸部から引き抜かれ、施錠ユニットの奥側にある錠止機構が順次に解体破壊される結果、ハンドルの握り部が固定ケースの前面側にポップアウトして、ハンドルを自由に回転操作できるようになってしまう。
【０００５】
別の暴力的な盗犯方法としては、錠前ユニットの鍵孔に電動ドリルの刃先を当て、ロータの鍵孔周辺部分を軸線方向に穿孔して、錠前ユニットの内部錠機構を破壊することによって、錠前ユニットと前記錠止機構を無力化し、ハンドルをポップアウトさせることが行われている。
【０００６】
更に別の暴力的な盗犯方法としては、ロータの鍵孔にタッピングビスを電動ドライバで捻じ込み、該ビスの浮き出た頭部にバールを掛けて、ロータを錠前ユニットの固定本体から強引に引き抜くことによって、錠前ユニットと前記錠止機構を無力化し、ハンドルをポップアウトさせることが行われている。
【０００７】
【特許文献１】
特許第３１１３５８８号公報
【０００８】
【発明が解決しようとする課題】本発明はこのような問題を解決するためになされたもので、その目的は、錠前ユニットに向けられた暴力破壊を困難または不可能にして防犯性を向上させるとともに、鍵の挿入角度や摘み部の大きさにおける多様性を的確に対応吸収して、施錠時や解錠時の鍵の操作が円滑かつ的確に行えるポップアウト型扉用ロックハンドル装置を提供することである。
【０００９】
【課題を解決するための手段】本発明は上記目的を達成するため、扉に固着される固定ケースの軸受部に内筒を回転可能かつ前後方向に移動不能に装着し、前記内筒の後面に止め金板を固着し、前記内筒内に前記内筒に対して回転不能かつ前後方向に移動可能にハンドルの施錠軸部を嵌挿し、前記施錠軸部を突出用バネによって突出方向に移動付勢し、錠前ユニットの収容孔を前記軸受部の側壁部に形成し、前記固定ケースに隣接させてポケット部を設け、前記ポケット部の前面開口部を扉の前面に開口させ、前記錠前ユニットのロータに鍵孔をその軸線方向に形成し、前記鍵孔を前記ポケット部の内部空間に向かって開口させ、断面円弧状の鍵案内用窪み部を錠前ユニットに向かって一直線に形成した鍵案内用パッドを、前記ポケット部の底面壁部に着脱可能に取り付け、前記窪み部の底面中央部に案内溝をロータの軸線方向と平行に形成し、該案内溝の先端部において案内溝の片側壁面に側面方向に開放された逃げ用凹部を形成して、開施錠時における鍵の摘み部の回転変位を可能にし、前記施錠軸部を前記軸受部に対して錠止する錠止機構を前記ロータに連動装備し、鍵の摘み部に前記鍵案内用パッドの前記案内溝の底面に接触する被案内部を形成し、前記鍵孔の中心線から前記案内溝底面に至る距離を、前記鍵本体の中心線から前記被案内部に至る距離と一致させる。
【００１０】
【発明の作用】本発明のポップアウト型扉用ロックハンドル装置では、ハンドルを固定ケースの前面側にポップアウトさせて，例えば自動販売機本体に対する扉の施錠を解除するためには、扉の正面側に開口している前記ポケット部に所定の鍵を差し入れた後、鍵の摘み部を鍵案内用パッドの鍵案内用窪み部に入れ、該摘み部の被案内部を前記窪み部の円弧状底面に沿わせて案内させながら、被案内部を鍵案内用パッドの案内溝に嵌め入れる。被案内部を前記案内溝の底面に接触させて、鍵を所要姿勢に保持しながら該案内溝の壁面に沿って前記案内用窪み部内を摺動させればよい。
【００１１】
この摺動操作の終端において前記鍵の先端部がロータの鍵孔に一部係合するので、これを確認した後で鍵を所定長さまで前記鍵孔に挿入する。これによって錠前ユニットの固定本体に対するロータの回転拘束が解錠される。この段階で鍵を回してロータを所定角度まで回転操作すると、前記軸受部に対する施錠軸部の錠止が解除され、前記ハンドルが固定ケースから所定ストロークだけ突出する。
この鍵の回転操作に当り、鍵の摘み部は前記案内溝の先端部の片側に形成された逃げ用凹部内を移動する。
【００１２】
突出したハンドルの握り部を握って施錠軸部を所定方向に所定角度回すと、前記止め金板が自動販売機本体側の受金（図示していない）から離脱し、扉が解錠される。そこで、ハンドルの握り部を手前に引くことによって、扉は商品補充や販売代金回収のために開放される。
【００１３】
【発明の実施の形態】固定ケース２は扉４に固着され、固定ケース２の軸受部６には内筒８が回転可能かつ前後方向に移動不能に装着されている。内筒８の後面には、自動販売機等の固定枠体側の受金（図示していない）に係脱する止め金板１０が、止め金板固着用ビス１２によって固着されている。内筒８内には、内筒８に対して回転不能かつ前後方向に移動可能となるように、ハンドル１４の施錠軸部１６が嵌挿されている。施錠軸部１６は突出用バネ１８によって突出方向に移動付勢されている。ポケット部２０は固定ケース２とは別体に構成され、固定ケース２に隣接させて扉４に固着されている。ポケット部２０の前面開口部２２は扉４の前面２４に開口している。
【００１４】
錠前ユニット２６の収容孔２８は軸受部６の側壁部３０に半径方向に形成され、扉４の前面２４と平行に配置されている。錠前ユニット２６のロータ３２には、鍵孔３４がその軸線方向に形成されており、鍵孔３４はポケット部２０に向かって開口している。ポケット部２０の底面壁部３６には、鍵案内用パッド３８がビス４１によって着脱可能に取り付けられている。ビス４１は、鍵案内用パッド３８の左右翼部に形成された受孔４５を通って、前記底面壁部３６の前面側の左右隆起部３６ａに形成したネジ孔４３に捻じ込まれている。鍵案内用パッド３８の中央部前面側には、錠前ユニット２６に向かって一直線状に断面半円形状の鍵案内用窪み部３９が形成されており、該鍵案内用窪み部３８の底面中央部の案内溝４０はロータ３２の軸線方向と平行に配置されている。案内溝４０のハンドル１４の施錠軸部１６を固定ケース２の軸受部６に対して錠止する錠止機構４２は、ロータ３２に連動装備されている。
【００１５】
鍵４４は鍵本体４６と摘み部４８で構成され、摘み部４８には、鍵本体４６の長さ方向軸線と平行な被案内部５０が形成されている。鍵孔３４の中心線から鍵案内用パッド３８の案内溝４０の底面４０ａに至る距離は、鍵本体４６の中心線から被案内部５０に至る距離と一致させてある。
【００１６】
固定ケース２は扉４に形成した取付用開口部５２に正面側から嵌め込まれ、背面側から座金板（図示していない）を嵌め合わせ、該座金板を扉４の後面１０８に突き当て、該座金板の透孔から背面螺子孔５４にビス（図示していない）を捻じ込むことによって、扉４に固着される。ポケット部２０は固定ケース２とは別体に構成されており、固定ケース２と同様に扉４の正面側から取付用開口部５２に嵌め込まれ、背面側から装着される座金板（図示していない）を介して後面螺子孔５６にビス（図示していない）を捻じ込むことによって、扉４に固着される。
【００１７】
錠止機構４２は、一対のロックプレート５８とカム円盤６０と錠止用バネ６２とで構成されている。ロックプレート５８は、施錠軸部１６に半径方向に形成したガイド孔６４に収容され、内筒８に形成した側面開口部６６を通過して先端部６８が軸受部６の内面凹部７０に係脱する。カム円盤６０は、ロータ３２の後端部に相対回転不能に連結され、ロックプレート５８の受動端部７４に当接する一対の駆動突起７６を偏心位置に設けてある。錠止用バネ６２は、ロックプレート５８を軸受部６の内面に向けて付勢する。
【００１８】
内筒８の側面開口部６６には、カム円盤６０の逃げ用溝部７８が円周方向に連通して形成されており、内筒８の側壁部３０に規制溝８０が軸方向に沿って形成されている。施錠軸部１６の側面部には、連動突起８２が突設されており、この連動突起８２は規制溝８０に挿入されている。
【００１９】
扉４が固定枠体に対して拘束されている扉施錠状態においては、ハンドル１４は固定ケース２に没入しており、施錠軸部１６は内筒８に深く入り込んでいる。
一対のロックプレート５８は錠止用バネ６２に押されて先端部６８が軸受部６の内面凹部７０に係合しており、突出用バネ１８の付勢に抗して施錠軸部１６を内筒８内の没入位置に保持している。
【００２０】
鍵４４をポケット部２０に前面開口部２２から差し込み、鍵案内用パッド３８の鍵案内用窪み部３９に入れ、鍵案内用凹部３９の中央部の案内溝４０の底面４０ａに鍵４４の摘み部４８の被案内部５０を接触させて、錠前ユニット２６の方向に摺動させ、鍵本体４６をロータ３２の鍵孔３４に挿入すると、錠前ユニット２６の固定本体８４に対するロータ３２の回転拘束が解除される。鍵４４によってロータ３２を解錠方向に回すと、鍵４４の摘み部４８は、鍵案内用パッド３８の前記逃げ用凹部４０ｂ内を支障なく回転変位する。
この鍵４４の回転操作によって、ロータ３２に連動してカム円盤６０が回るため、カム円盤６０の駆動突起７６によってロックプレート５８の受動端部７４が求心方向に牽引され、ロックプレート５８の先端部６８が軸受部６の内面凹部７０から脱出し、ロックプレート５８の全体が施錠軸部１６のガイド孔６４の内部に引き込まれる。
【００２１】
このようにロックプレート５８が退没することによって、施錠軸部１６は内筒８に対する錠止を解除され、連動突起８２が規制溝８０の前壁面８６に当たるまで、施錠軸部１６は突出用バネ１８の付勢によって内筒８から突出し、これと同時にハンドル１４が固定ケース２から突出する。
【００２２】
このハンドル１４を握って施錠軸部１６を所定方向に回すと、規制溝８０と連動突起８２の係合によって連結されている内筒８が、施錠軸部１６と一緒に回転し、前記止め金板１０が固定枠体側の受金から離脱することによって、固定枠体に対する扉４の施錠が解除される。このとき、カム円盤６０は内筒８に形成された逃げ用溝部７８内を移動する。かくして，扉４はハンドル１４を引くことによって開放される。
【００２３】
扉４を閉めた後、ハンドル１４を逆回転すると、前記止め金板１０が受金と再係合する。その後、ハンドル１４を固定ケース２内に押し戻すと、施錠軸部１６の連動突起８２が規制溝８０の後壁面９０に当たり、施錠軸部１６のガイド孔６４は内筒８の側面開口部６６を介して軸受部６の内面凹部７０に連通した位置に復帰する。
【００２４】
この段階で鍵４４によってロータ３２を逆回転させると、カム円盤６０の駆動突起７６による受動端部７４の押圧が解除されるため、ロックプレート５８は錠止用バネ６２の付勢によって遠心方向に突出し、先端部６８が軸受部６の内面凹部７０に入り込む。これによってハンドル１４の施錠軸部１６は固定ケース２の軸受部６に対して再び錠止される。
【００２５】
ガイド孔６４は施錠軸部１６のほぼ直径上に形成されており、内端部は半径方向の空洞部９２に連通し、一対のガイド孔６４と空洞部９２は横断面において逆Ｔ字状をなしている。ロックプレート５８の受動端部７４は主体部分に対して直角に曲げられ、空洞部９２に収容されている。空洞部９２の内面にはバネ受け凹部９４が形成されており、圧縮コイルバネで構成された錠止用バネ６２の基端部が収容されている。
【００２６】
カム円盤６０の駆動突起７６は、その後面の直径上に形成されている。内筒８の内面にはガイド溝９６が軸方向に形成され、施錠軸部１６に形成したガイド突起９８がガイド溝９６に係合している。そのため、前記した規制溝８０と連動突起８２との係合と相俟って、施錠軸部１６は内筒８に対して軸方向には移動可能であるが回転不能になっている。施錠軸部１６の突出用バネ１８も圧縮コイルバネで構成されている。施錠軸部１６の後端部７２には、ロックプレート５８と錠止用バネ６２とカム円盤６０の組み込み後、蓋板１００が止めビス１０２によって固着される。
【００２７】
錠前ユニット２６の内部錠機構としては公知のピンタンブラ錠機構が使用されているが、これは特に限定されない。内筒８の後端部の連結用突起１０４には角度規制円盤１０５が嵌められており、角度規制円盤１０５の周辺切欠部の両内端面は内筒８の後端部に形成した規制突起１０７と係脱して、ハンドル１４の回転か角度を規定する。前記止め金板１０は連結用突起１０４に嵌められ、固定用ビス１２によって締め付け固定されている。
【００２８】
錠前ユニット２６の固定本体８４の横断面は小判形断面に形成されており、収容孔２８の小判形断面部に相対回転不能に嵌め込まれている。固定本体８４の外面螺子部１１０には固定リング１１２が螺合されており、固定リング１１２の外面には環状溝１１４が形成されている。固定ケース２の背面側には、Ｕ字状の組立金具１１６の挿入用の受溝１１８が形成されており、受溝１１８に挿入された組立金具１１６には、固定リング１１２の環状溝１１４に先端が挿入されるロックビス１２０が捻じ込まれている。これによって錠前ユニット２６は収容孔２８からの抜き取りを阻止されている。
【００２９】
ロータ３２の角軸部１２２には公知の回転角度規制板１２４が嵌められ、ナット１２６によって締め付け固着されている。角軸部１２２の内端部１２８は小判形断面に形成され，カム円盤６０の小判形断面の受孔１３０に相対回転不能に係合している。錠前ユニット２６の固定本端の正面部分１３２は凹曲面に形成され、指先でロータ３２の鍵孔３４の位置を探り易くなっている。
また、図４に示したように鍵抜き取り状態、すなわち施錠状態においては、鍵孔３４は、前面開口の長手方向中心線がポケット部２０の底面壁部３６に対して垂直になっている。
【００３０】
以上の説明は、鍵孔３４の中心線から鍵案内溝４０の底面４０ａに至る距離と、鍵本体４６の中心線から摘み部４８の被案内部５０に至る距離とが一致している正規の鍵４４が使用される場合であるが、このような寸法関係が存在せず、鍵本体４６の挿入角度や摘み部４８の形状・大きさにおいて正規の鍵４４とは合致していない規格外の鍵を使用する場合（正規の鍵４４より作成した所要キーコードを有する合鍵であるが、摘み部の形状や大きさが異なり、被案内部の位置に差異がある鍵を使用する場合など）には、図６に示したようにビス４１を外して鍵案内用パッド３８をポケット部２０の底面壁部３６から取り外す。
この鍵案内用パッド３８の取り外しによって、鍵の挿入操作及び回転操作に必要な操作スペースが広く確保され、挿入角度や摘み部の形状・大きさが異なる規格外の鍵を受け入れることができる。
【００３１】
【発明の効果】
以上のように本発明のポップアウト型扉用ロックハンドル装置では、錠前ユニットは軸受部の側壁部に形成した収容孔に埋め込み固着されており、ロータの鍵孔は固定ケースに隣接したポケット部の内部空間に向かって開口しているため、電動ドリル等の破壊用工具の刃先をロータに対して直角な正規姿勢にて突き当てることができず、近時の暴力化した盗犯に対する防護性が向上する。
【００３２】
また、本発明のロックハンドル装置では、断面円弧状の鍵案内用窪み部を錠前ユニットに向かって一直線に形成した鍵案内パッドを前記ポケット部の底面壁部に着脱可能に取り付け、前記窪み部の底面中央部に案内溝をロータの軸線方向と平行に形成し、該鍵案内溝の先端部において案内溝の片側壁面に側面方向に開放された逃げ用凹部を形成して、開施錠時における鍵の摘み部の回転変位を可能にし、前記施錠軸部を前記軸受部に対して錠止する錠止機構を前記ロータに連動装備し、鍵の摘み部に前記鍵案内パッドの鍵案内溝の底面に接触する被案内部を形成し、前記鍵孔の中心線から鍵案内溝の前記底面に至る距離を、前記鍵本体の中心線から前記被案内部に至る距離と一致させてあるから、鍵の挿入角度や摘み部の形状・大きさにおける多様性に対応して鍵案内パッドを着脱することによって、鍵の個別差を吸収し、鍵孔への鍵本体の挿入操作及び回転操作が円滑かつ的確になされる。
【図面の簡単な説明】
【図１】本発明の一実施例に係るポップアウト型扉用ロックハンドル装置の施錠状態における正面図である。
【図２】図１のポップアウト型扉用ロックハンドル装置の背面図である。
【図３】図１のＡ−Ａ線断面図である。
【図４】図１のＢ−Ｂ線断面図である。
【図５】図１のＣ−Ｃ線断面図である。
【図６】鍵案内用パッドを取り外した状態における図１の扉用ロックハンドル装置の正面図である。
【図７】図１のポップアウト型扉用ロックハンドル装置に使用する鍵案内用パッドの底面図であり、案内溝に鍵の摘み部を挿入した状態を示している。
【図８】図７の鍵案内用パッドの正面図である。
【図９】図７の鍵案内用パッドの左側面図である。
【図１０】図７の鍵案内用パッドの平面図である。
【図１１】図８のＦ−Ｆ線断面図である。
【図１２】図１のＤ−Ｄ線断面図である。
【図１３】図３のＥ−Ｅ線断面図である。
【符号の説明】
２…固定ケース、４…扉、６…軸受部、８…内筒、１０…止め金板、１２…止め金板固着用ビス、１４…ハンドル、１６…施錠軸部、１８…突出用バネ、２０…ポケット部、２２…前面開口部、２４…扉の前面、２６…錠前ユニット、２８…収容孔、３０…側壁部、３２…ロータ、３４…鍵孔、３６…底面壁部、３８…鍵案内用パッド、３９…鍵案内用窪み部、４０…案内溝、４０ａ…案内溝の底面、４０ｂ…逃げ用凹部、４１…ビス、４２…錠止機構、４３…ネジ孔、４４…鍵、４５…受孔、４６…鍵本体、４８…摘み部、５０…被案内部、５２…取付用開口部、５４…背面螺子孔、５６…後面螺子孔、５８…ロックプレート、６０…カム円盤、６２…錠止用バネ、６４…ガイド孔、６６…側面開口部、６８…先端部、７０…内面凹部、７２…後端部、７４…受動端部、７６…駆動突起、７８…逃げ用溝部、８０…規制溝、８２…連動突起、８４…固定本体、８６…前壁面、９０…後壁面、９２…空洞部、９４…バネ受け凹部、９６…ガイド溝、９８…ガイド突起、１００…蓋板、１０２…ビス、１０４…連結用突起、１０５…角度規制円盤、１０７…規制突起、１０８…扉の後面、１１０…外面螺子部、１１２…固定リング、１１４…環状溝、１１６…組立金具、１１８…受溝、１２０…ロックビス、１２２…角軸部、１２４…回転角度規制板、１２６…ナット、１２８…内端部、１３０…受孔、１３２…正面部分
【図１】
2004225247.tif 000003
【図２】
2004225247.tif 000004
【図３】
2004225247.tif 000005
【図４】
2004225247.tif 000006
【図５】
2004225247.tif 000007
【図６】
2004225247.tif 000008
【図７】
2004225247.tif 000009
【図８】
2004225247.tif 000010
【図９】
2004225247.tif 000011
【図１０】
2004225247.tif 000012
【図１１】
2004225247.tif 000013
【図１２】
2004225247.tif 000014
【図１３】
2004225247.tif 000015